(57)【要約】      （修正有）【課題】排気の管体を排気ガスが排出するが雨水が落ちて排気の管体に進入するのを有効に防止する排気管の端部ユニットを提供する。【解決手段】上下どちらにも開口１Ａ、１Ｂを備える筒体１を含む排気管の端部ユニットにおいて、筒体内には傾斜した上層板１１を設置し、上層板一側は筒体内壁との間に上通道Ａを形成し、且つ上層板の傾斜した最低箇所には第一排水孔ユニット１１１を成形し、及び傾斜した下層板１２を設置し、下層板一側と筒体内壁には下通道Ｂを形成し、下層板の傾斜の最低箇所は、筒体と相互に連接し、且つ筒体の筒壁には第二排水孔ユニット１２１を成形し、且つ下層板下方の筒体の内壁面には凸縁１３を設置する。【選択図】図２
0003220178.tif 000002
【実用新案登録請求の範囲】
【請求項１】
上下どちらにも開口１Ａ、１Ｂを備える筒体１を含む排気管の端部ユニットにおいて、
該筒体内の切断面には傾斜した上層板を設置し、該上層板一側は該筒体内壁との間に上通道を形成し、且つ該上層板の傾斜した最低箇所には第一排水孔ユニットを成形し、及び傾斜した下層板を設置し、該下層板一側と該筒体内壁には下通道を形成し、該下層板の傾斜の最低箇所は、該筒体と相互に連接し、且つ該筒体の筒壁には第二排水孔ユニットを成形し、且つ該下層板下方の筒体の内壁面には凸縁を設置することを特徴とする排気管の端部ユニット。
【請求項２】
前記傾斜の上層板の傾斜方向と該下層板の傾斜方向は同じであり、且つ該第一排水孔ユニットと該上通道は相互に通じることを特徴とする請求項１記載の排気管の端部ユニット。
【請求項３】
前記上通道の上方の該筒体最上面に庇片を設置することを特徴とする請求項２記載の排気管の端部ユニット。
【請求項４】
前記筒体の切断面にはファンを設置することを特徴とする請求項１記載の排気管の端部ユニット。
【請求項５】
前記傾斜の上層板の傾斜方向と該下層板の傾斜方向は相反し、且つ該第一排水孔ユニットは該筒体に設置して外界と通じることを特徴とする請求項１記載の排気管の端部ユニット。
【請求項６】
前記筒体上方の開口は、可動蓋板を設置し、且つ該可動蓋板の下部には伸縮桿ユニットを連接し、該伸縮桿ユニットによって該可動蓋板を駆動し、該開口に対して可動性の開閉を形成することを特徴とする請求項５記載の排気管の端部ユニット。
【考案の詳細な説明】
【技術分野】
【０００１】
本考案は、管ユニットに関するもので、特に排気管の端部ユニットに係る。
【背景技術】
【０００２】
排気のための煙突または建築物ビル配管から排気する排気管、または家庭用換気扇の排気管は、排気ガスを排出して大気に放出する。
【先行技術文献】
【特許文献】
【０００３】
【特許文献１】特開2017-190725号公報
【考案の概要】
【考案が解決しようとする課題】
【０００４】
雨天の時にも対応するため、この種の排気管は殆ど雨が入らないようにする構造になっていたり、もしくは排気口の方向を下に向けている。解決しようとする問題点として、排気口が下向きであるため、排気が滞り、スムーズではないだけでなく、排気管末端の雨除け構造は主に排気口に中空フレームで遮蔽テント、例として傘状または平面状を設置するため、大雨の時には雨水が該中空フレームの開いた箇所から雨が入ってしまうため、効果は有限である。
【課題を解決するための手段】
【０００５】
本考案は、主に本考案の筒体を排気する管体と相互に連接することを最も主要な特徴とする。
【考案の効果】
【０００６】
本考案の排気管の端部ユニットは、該排気の管体を排気ガスが排出するが雨水が落ちて該排気の管体に進入するのを有効に防止するという利点がある。
【図面の簡単な説明】
【０００７】
【図１】本考案の立体外観図である。
【図２】本考案の立体局部断面図である。
【図３】本考案を設置した管体の内部指示図である
【図４】本考案を設置した煙突排気の管体使用状態指示図である。
【図５】本考案を設置したビル配管から排気するの管体使用状態指示図である。
【図６】本考案の筒体設置ファン及びソーラー発電ユニット指示図である。
【図７】本考案の筒体外方設置ソーラー発電ユニット指示図である。
【図８】本考案の上層板の傾斜方向が相反する実施例立体断面図である。
【図９】図８に可動蓋板を設置した実施例立体断面図である。
【考案を実施するための形態】
【０００８】
従前の技術的問題を鑑み、本考案者は、排気管の端部ユニットを提案し、それは上下どちらにも開口を備える筒体を含む。該筒体内の切断面には傾斜した上層板を設置し、該上層板一側は該筒体内壁との間に上通道を形成し、且つ該上層板の傾斜した最低箇所には第一排水孔ユニットを成形する。また傾斜した下層板を設置する。該下層板一側と該筒体内壁には下通道を形成する。該下層板の傾斜の最低箇所は、該筒体と相互に連接し、且つ該筒体の筒壁には第二排水孔ユニットを成形し、且つ該下層板下方の筒体の内壁面には凸縁を設置する。
【０００９】
該筒体下方の開口から排気する管体を納置し、該凸縁で押さえて安定した状態にする。該筒体外部に径方向に固定ネジを用い、該排気する管体に対して固定する。該排気する管体が排気する時、排気ガスは該下通道Ｂから該上通道Ａを通過する。その後、該上方の開口から排出される。また雨の時、仮に該筒体上方の開口から雨水が進入しても、雨水は該上層板一側の該上通道から、雨水を該下層板表面へ導き、そして雨水は該下層板の傾斜の最低箇所と該筒体が相互に連接し、且つ該筒体の筒壁に設置した第二排水孔ユニットから筒体外へ排出される。
【実施例１】
【００１０】
以下図式と共に、本考案の構造、特徴を実施例を挙げて詳細に説明する。
【００１１】
図１併せて図２に示すとおり、本考案は排気管の端部ユニットであり、それは上下どちらにも開口１Ａ、１Ｂを備える筒体１を含む。該筒体１内の切断面には傾斜した上層板１１を設置し、該上層板１１一側は該筒体１内壁との間に上通道Ａを形成し、且つ該上層板１１の傾斜した最低箇所には第一排水孔ユニット１１１を成形する。更に傾斜した下層板１２を設置し、該下層板１２の傾斜した最高箇所側方は該筒体１との間の内壁に下通道Ｂを形成し、該下層板１２の傾斜の最低箇所は、該筒体１と相互に連接し、且つ該筒体１の筒壁には第二排水孔ユニット１２１を成形し、且つ該下層板１２下方の筒体１の内壁面には凸縁１３を設置する。
【００１２】
図２及び図３に示すとおり、該筒体１下方の開口１Ｂから排気する管体２を納置し、該凸縁１３で押さえて安定した状態にする。また該筒体１外部の径方向に固定するネジ１４で該管体２を固定する。
【００１３】
該管体２が正常に排気する時、排気ガスは該下通道Ｂから該上通道Ａを通過し、その後、該上方の開口１Ａから排出される。また雨の時、仮に該筒体１上方の開口１Ａから雨水が進入しても、雨水は該上層板１１一側の該上通道Ａから、雨水を該下層板１２表面へ導き、そして雨水は該下層板１２の傾斜の最低箇所と該筒体１が相互に連接し、且つ該筒体１の筒壁に設置した第二排水孔ユニット１２１から筒体１外へ排出される。
【００１４】
図１、図２及び図３に示す実施例において、そのうち該傾斜した上層板１１の傾斜方向と該下層板１２の傾斜方向は同じであり、該上層板１１一側は該筒体１内壁との間に上通道Ａを形成し、傾斜方向が同じなので、該上層板１１上の雨水は該第一排水孔ユニット１１１を通過して該上通道Ａ へ流れ、雨水を該下層板１２表面へ導く。
【００１５】
そのうち該上通道Ａ上方の該筒体１最上面には庇片１５を設置するため、大雨の時には雨水が該上通道Ａに対して直接雨が当たり、効果を得る。
【００１６】
図４に示すとおり、本考案は該筒体１切断面にファン３１を設置して排気効果を強化する。更に該筒体１外側にソーラー発電ユニット３２を設置する。もしくは図５に示すとおり、該筒体１外方にソーラー発電ユニット３２を設置してもよく、更には追尾型ソーラー発電ユニットでもよく、それは該ファン３１に動力を提供する。
【００１７】
図８の実施例に於いて、そのうち該傾斜した上層板１１Ａの傾斜方向と該下層板１２の傾斜方向は相反する。傾斜方向が同じであると、該上層板１１Ａ上の雨水は該第一排水孔ユニット１１１を通じて該上通道Ａへ流れない。そして傾斜の比較的高い箇所の雨水を該下層板１２表面へ導く。しかし導水をスムーズにするため、該上層板１１Ａの該第一排水孔ユニット１１１Ａを該筒体１に設置して外界と通じる。これらに拠って、大量の雨水は該第一排水孔ユニット１１１Ａから該筒体１の外界へ流出する。
【００１８】
図９に示すとおり、該筒体１上方の開口１Ａに可動蓋板１６を設置してもよい。更に該可動蓋板１６の下部に伸縮桿ユニット１７を連接する。該伸縮桿ユニット１７によって該可動蓋板１６を可動し該開口１Ａに対して活動性の開閉を形成する。
【産業上の利用可能性】
【００１９】
図６に示すとおり、本考案は各種排気のための管体、例として煙突排気の管体２Ａ、もしくは例として図７のビル配管から排気するの管体２Ｂ、更には更に多くの異なる排気の管体でもよく、広く使用できる。
【００２０】
上述のとおり、本考案は、産業利用性に符合し、且つ刊行物もしくは公開使用に於いて未見であり、更に簡単に知り得ないものであることは実用新案申請の要件に符合する。また上述は良好な実施例に過ぎず、本考案の均等な変化や装飾は、すべて本考案の範囲に含まれる。
【符号の説明】
【００２１】
１        筒体
１Ａ      開口
１Ｂ      開口
１１        上層板
１１１        第一排水孔ユニット
１２        下層板
１２１        第二排水孔ユニット
１３        凸縁
１４        ネジ
１５        庇片
１６        可動蓋板
１７        伸縮桿ユニット
２        管体
２Ａ      管体
２Ｂ      管体
３１        ファン
３２        ソーラー発電ユニット
Ａ        上通道
Ｂ        下通道
【図１】
0003220178.tif 000003
【図２】
0003220178.tif 000004
【図３】
0003220178.tif 000005
【図４】
0003220178.tif 000006
【図５】
0003220178.tif 000007
【図６】
0003220178.tif 000008
【図７】
0003220178.tif 000009
【図８】
0003220178.tif 000010
【図９】
0003220178.tif 000011
【手続補正書】
【提出日】平成30年12月5日(2018.12.5)
【手続補正１】
【補正対象書類名】実用新案登録請求の範囲
【補正対象項目名】請求項１
【補正方法】変更
【補正の内容】
【請求項１】
上下どちらにも開口１Ａ、１Ｂを備える筒体１を含む排気管の端部ユニットにおいて、
該筒体内には傾斜した上層板を設置し、該上層板一側は該筒体内壁との間に上通道を形成し、且つ該上層板の傾斜した最低箇所には第一排水孔ユニットを成形し、及び傾斜した下層板を設置し、該下層板一側と該筒体内壁には下通道を形成し、該下層板の傾斜の最低箇所は、該筒体と相互に連接し、且つ該筒体の筒壁には第二排水孔ユニットを成形し、且つ該下層板下方の筒体の内壁面には凸縁を設置することを特徴とする排気管の端部ユニット。
【手続補正２】
【補正対象書類名】実用新案登録請求の範囲
【補正対象項目名】請求項４
【補正方法】変更
【補正の内容】
【請求項４】
前記筒体内にはファンを設置することを特徴とする請求項１記載の排気管の端部ユニット。